(57)【要約】【課題】  電気式デシカント空調機を用いて結露を発生せず、しかもホテルなどの大容量の空調を快適に行うことができるドレンレス空調システムを提供する。【解決手段】  ビルなどの各室Ｒに設けられたファンコイルユニット（ＦＣＵ）１１で各室内の空気を循環して冷房する際に、デシカントロータ２２とヒートポンプ２３を組み合わせてデシカント空調機２１を構成し、外気を、デシカントロータ２２の吸入側に導入して除湿すると共にヒートポンプ２３のエアクーラ３２を通して冷却し、この冷却空気を、上記各室ＲのＦＣＵ１１に換気用空気として供給すると共に各室Ｒから換気用空気と同量の空気を取り込み、これをヒートポンプ２３のエアヒータ３０を通して昇温し、その昇温した空気を上記デシカントロータ２２の排気側を通してデシカントロータ２２を再生した後、排気する。【選択図】  図１
2007024467.tif 000002
【特許請求の範囲】
【請求項１】
ビルなどの各室に設けられたファンコイルユニット（ＦＣＵ）で各室内の空気を循環して冷房する空調システムにおいて、デシカントロータとヒートポンプを組み合わせてデシカント空調機を構成し、外気を、デシカントロータの吸入側に導入して除湿すると共にヒートポンプの蒸発器を通して冷却し、この冷却空気を、上記各室のＦＣＵに換気用空気として供給すると共に各室から換気用空気と同量の空気を取り込み、これをヒートポンプの凝縮器を通して昇温し、その昇温した空気を上記デシカントロータの排気側を通してデシカントロータを再生した後、排気することを特徴とするドレンレス空調システム。
【請求項２】
デシカント空調機に、運転中の全ＦＣＵの総空気循環量に対して、０．１〜０．５の外気を導入し、これを除湿すると共に各室内の設定温度近傍まで冷却して換気用空気とし、これを各ＦＣＵの空気循環量に応じて分配して各ＦＣＵに供給する請求項１記載のドレンレス空調システム。
【請求項３】
運転中のＦＣＵの空気循環量の０．１〜０．５を換気用空気として取り込みデシカント空調機を通して換気空気と同量の室内空気を排気する請求項１又は２記載のドレンレス空調システム。
【請求項４】
ビルなどの各室に設けられたファンコイルユニット（ＦＣＵ）で各室内の空気を循環して冷房する空調システムにおいて、デシカントロータと、圧縮機とエアヒータと膨張弁とエアクーラと気液分離器が順次接続されたＣＯ2 ヒートポンプとでデシカント空調機を構成し、そのデシカント空調機に、外気導入通路と排気通路を形成し、その外気導入通路に押し込みファンを接続すると共に排気通路に吸引ファンを接続し、上記外気導入通路と排気通路を横断するようデシカントロータを回転自在に設け、そのデシカントロータ下流側の外気導入通路に上記エアクーラを接続し、デシカントロータ上流側の排気通路にエアヒータを接続し、上記エアクーラ下流側の外気導入通路を、各室に配置されたＦＣＵに換気用空気を供給する給気ダクトに接続し、各室の空気を排出する排気ダクトを上記エアヒータ上流側の排気通路に接続したことを特徴とするドレンレス空調システム。
【請求項５】
エアヒータとデシカントロータ間の排気通路に補助ヒータが接続される請求項４記載のドレンレス空調システム。
【請求項６】
エアクーラの上流側の外気導入通路とエアヒータ上流側の排気通路とを横断して、外気導入通路と排気通路の換気用空気を熱交換する顕熱ロータが設けられる請求項４又は５記載のドレンレス空調システム。
【請求項７】
ＦＣＵは、本体内に、冷媒液が供給されるコイルと室内空気を循環するファンが設けられて構成され、コイルが、冷媒供給管と冷媒排出管を介して冷温水発生機などに接続される請求項４〜６いずれか記載のドレンレス空調システム。
【請求項８】
機械室等に上記冷温水発生機等を設置し、各階の室を挿通するようダクトシャフトを設け、そのダクトシャフト内に、上記冷温水発生機等に接続された冷媒供給管と冷媒排出管を配設し、そのダクトシャフト内に、各室の換気用の給気ダクトと排気ダクトを配設し、その給気ダクトと排気ダクトを、屋上に設置したデシカント空調機の外気導入通路と排気通路に接続した請求項７記載のドレンレス空調システム。
【発明の詳細な説明】
【技術分野】
【０００１】
本発明は、ホテルやオフィス等のビルを空調する空調システムに係り、特に冷房時に室内機側でドレンの発生や結露を防止できるドレンレス空調システムに関するものである。
【背景技術】
【０００２】
従来、ホテルやオフィス等のビルを空調する空調システムにおいては、各室内に、冷温水発生機に接続されるファンコイルユニット（ＦＣＵ）が設置され、他方、ビルの屋上等に外調機を設置し、外調機から室温レベルに温調した外気を各ＦＣＵに供給し、室内空気と合わせてファンにて吸引すると共にこれをコイルで冷却して設定温度にして吹き出すようにしている。
【０００３】
このＦＣＵでは、室内空気と湿度の高い外気が混合した後、コイルで冷却されるために結露水が生じ、これをドレン水として排出するが、ＦＣＵ内にドレン水が溜まるため、このドレン水中に含まれる微生物が繁殖する障害がある。
【０００４】
一方、ドレンレス空調機として、特許文献１に見られるようにデシカント空調装置が提案されている。
【０００５】
このデシカント空調機は、デシカントロータとヒートポンプとを組み合わせ、潜熱処理をデシカントロータで行い、顕熱処理をヒートポンプで行うもので、デシカントロータに室内空気を通して除湿し、除湿により昇温した空気をヒートポンプの蒸発器で冷却して設定温度として、室内に吹き出して冷房するもので、デシカントロータの再生は、外気をヒートポンプの凝縮器を通して昇温し、これをデシカントロータを通して吸着した水分を脱着させて再生するようにしている。
【０００６】
また、特許文献１のようなヒートポンプを用いた電気式デシカント空調の他に特許文献２に示されるように、ＣＯ2 ヒートポンプとガスタービンとを組み合わせ大容量の空調が行えるハイブリッド型デシカント空調機も提案されている。
【０００７】
このデシカント空調においては、デシカントロータ等により空気を除湿し、昇温した空気を蒸発器等で冷却して室内に供給するため、結露による問題は発生することがない。
【０００８】
【特許文献１】特開２００４−８５０９６号公報
【特許文献２】特許第３５８５３０８号公報
【特許文献３】特開２００４−９２９５６号公報
【発明の開示】
【発明が解決しようとする課題】
【０００９】
しかしながら、ヒートポンプを用いた電気式デシカント空調は、運転管理が容易であるものの、冷媒がＣＯ2 でないため排熱温度が低く十分な再生が行えず、大容量の冷房を行う空調には不向きである。またガスタービン等ガスコジェネレーションシステムと組み合わせたハイブリッド型デシカント空調機では、大容量の空調には向いているものの、ガスタービンの運転管理が必要であり、従来のＦＣＵを用いた空調システムのように電気式で全てを制御できる簡便さに劣る問題がある。
【００１０】
さらに、デシカント空調では、空気の絶対湿度を落とした際、吸着熱により昇温した乾燥空気を冷却により相対湿度を上げて、室内に吹き出しているが、室内の空気の湿度が２０％ＲＨ以下となると、生理量、心理量に影響が生じやすい、特に冷房負荷がピークを迎える時期や西日が入る時間帯には、湿度２０％ＲＨ以下となりやすい問題がある。
【００１１】
特許文献１，３に示されるようにデシカント空調で除湿後の空気を再度加湿して室内に供給して湿度調整することがなされているが、一旦除湿した空気を再度加湿したのでは、エネルギーロスとなる。
【００１２】
このように、ホテルやオフィス等のビルを空調する空調システムで、快適な室内環境を形成するには、結露などによる障害を除き、室内の温湿度を適切な状況に調整することが必要であるが、ドレンレスで、しかも電気式で簡単に制御できる空調システムは開発されていない。
【００１３】
本発明の目的は、電気式デシカント空調機を用いて結露を発生せず、しかもホテルなどの大容量の空調を快適に行うことができるドレンレス空調システムを提供することにある。
【課題を解決するための手段】
【００１４】
上記の目的を達成するために、請求項１の発明は、ビルなどの各室に設けられたファンコイルユニット（ＦＣＵ）で各室内の空気を循環して冷房する空調システムにおいて、デシカントロータとヒートポンプを組み合わせてデシカント空調機を構成し、外気を、デシカントロータの吸入側に導入して除湿すると共にヒートポンプの蒸発器を通して冷却し、この冷却空気を、上記各室のＦＣＵに換気用空気として供給すると共に各室から換気用空気と同量の空気を取り込み、これをヒートポンプの凝縮器を通して昇温し、その昇温した空気を上記デシカントロータの排気側を通してデシカントロータを再生した後、排気するようにしたドレンレス空調システムである。
【００１５】
請求項２の発明は、デシカント空調機に、運転中の全ＦＣＵの総空気循環量に対して、０．１〜０．５の外気を導入し、これを除湿すると共に各室内の設定温度近傍まで冷却して換気用空気とし、これを各ＦＣＵの空気循環量に応じて分配して各ＦＣＵに供給する請求項１記載のドレンレス空調システムである。
【００１６】
請求項３の発明は、運転中のＦＣＵの空気循環量の０．１〜０．５を換気用空気として取り込みデシカント空調機を通して換気空気と同量の室内空気を排気する請求項１又は２記載のドレンレス空調システムである。
【００１７】
請求項４の発明は、ビルなどの各室に設けられたファンコイルユニット（ＦＣＵ）で各室内の空気を循環して冷房する空調システムにおいて、デシカントロータと、圧縮機とエアヒータと膨張弁とエアクーラと気液分離器が順次接続されたＣＯ2 ヒートポンプとでデシカント空調機を構成し、そのデシカント空調機に、外気導入通路と排気通路を形成し、その外気導入通路に押し込みファンを接続すると共に排気通路に吸引ファンを接続し、上記外気導入通路と排気通路を横断するようデシカントロータを回転自在に設け、そのデシカントロータ下流側の外気導入通路に上記エアクーラを接続し、デシカントロータ上流側の排気通路にエアヒータを接続し、上記エアクーラ下流側の外気導入通路を、各室に配置されたＦＣＵに換気用空気を供給する給気ダクトに接続し、各室の空気を排出する排気ダクトを上記エアヒータ上流側の排気通路に接続したドレンレス空調システムである。
【００１８】
請求項５の発明は、エアヒータとデシカントロータ間の排気通路に補助ヒータが接続される請求項４記載のドレンレス空調システムである。
【００１９】
請求項６の発明は、エアクーラの上流側の外気導入通路とエアヒータ上流側の排気通路とを横断して、外気導入通路と排気通路の換気用空気を熱交換する顕熱ロータが設けられる請求項４又は５記載のドレンレス空調システムである。
【００２０】
請求項７の発明は、ＦＣＵは、本体内に、冷媒液が供給されるコイルと室内空気を循環するファンが設けられて構成され、コイルが、冷媒供給管と冷媒排出管を介して冷温水発生機などに接続される請求項４〜６いずれか記載のドレンレス空調システムである。
【００２１】
請求項８の発明は、機械室内等に上記冷温水発生機等を設置し、各階の室を挿通するようダクトシャフトを設け、そのダクトシャフト内に、上記冷温水発生機等に接続された冷媒供給管と冷媒排出管を配設し、そのダクトシャフト内に、各室の換気用の給気ダクトと排気ダクトを配設し、その給気ダクトと排気ダクトを、屋上に設置したデシカント空調機の外気導入通路と排気通路に接続した請求項７記載のドレンレス空調システムである。
【発明の効果】
【００２２】
本発明は、各室を冷暖房するＦＣＵをそのまま用い、ＦＣＵに換気用の空気を供給する際に電気式のデシカント空調機を用い、このデシカント空調機で、外気を除湿した後、ヒートポンプの蒸発器で冷却した換気用空気を供給することで、ＦＣＵ内での結露を防止したドレンレス空調が可能となる。また、このドレンレス空調は、既存のＦＣＵによる空調設備をそのまま用い、デシカント空調機のみ設置すればドレンレス空調が行えるメリットがある。
【発明を実施するための最良の形態】
【００２３】
以下本発明の実施形態を添付図面により説明する。
【００２４】
図１（ａ）、図１（ｂ）において、１０は、ホテルやオフィス等の建物で、ｍ階、ｎ室／階の室Ｒを備えている。
【００２５】
この各室Ｒには、ファンコイルユニット（ＦＣＵ）１１が設けられる。このＦＣＵ１１は、吸込口１２と吹出口１３を有する本体１４内に、冷媒液（冷水又は温水等）が供給されるコイル１５と室内空気を循環するファン１６が設けられて構成される。
【００２６】
各ＦＣＵ１１のコイル１５は、冷媒供給管１７と冷媒排出管１８を介して建物１０の屋上や機械室などに設置された冷温水発生機等２０に接続される。冷媒液は、冷暖房時に冷温水発生機等２０で設定温度にされ、その冷媒液が、冷媒供給管１７を通してコイル１５に供給され、冷媒排出管１８を通して冷温水発生機等２０に戻されて循環される。
【００２７】
冷媒供給管１７と冷媒排出管１８は、図１（ａ）に示すように各階の室Ｒを貫通するよう設けられたダクトシャフト１９内に収容される。このダクトシャフト１９は、図１（ｂ）に示すように、例えば廊下Ｐ側に位置するよう、かつ二つの室Ｒ、Ｒ間を貫通するように複数設けられる。
【００２８】
なお、このダクトシャフト１９は、図示のように各階を貫通するよう複数の垂直のダクトシャフト１９を設ける代わりに、各階を貫通する１つの垂直なダクトシャフト１９を設け、その垂直なダクトシャフト１９に、各階ごと各室Ｒを結ぶよう水平なダクトシャフト１９を設け、これらダクトシャフト１９に沿って冷媒供給管１７と冷媒排出管１８を収容するようにしてもよい。
【００２９】
さて、本発明においては、各ＦＣＵ１１に換気用空気を供給する際に、デシカント空調機２１を用いたものである。
【００３０】
このデシカント空調機２１は、図１（ａ）、図２に示すように、デシカントロータ２２とＣＯ2 ヒートポンプ２３とで構成される。
【００３１】
デシカント空調機ケーシング２４内には、外気導入通路２５と排気通路２６が形成され、その外気導入通路２５に押し込みファン２７が接続され、排気通路２６に吸引ファン２８が接続され、外気導入通路２５と排気通路２６を横断するようデシカントロータ２２が回転自在に設けられる。
【００３２】
ＣＯ2 ヒートポンプ２３は、圧縮機２９、エアヒータ（ガスクーラ）３０、膨張弁３１、エアクーラ（蒸発器）３２、気液分離器３３が順に接続されて構成される。
【００３３】
デシカントロータ２２の下流側の外気導入通路２５には、エアクーラ３２が接続され、デシカントロータ２２の上流側の排気通路２６には、エアヒータ３０が接続される。
【００３４】
また、エアヒータ３０とデシカントロータ２２間の排気通路２６には、電気ヒータ等の補助ヒータ３４が設けられる。
【００３５】
エアクーラ３２の下流側の外気導入通路２５は、各室Ｒに配置されたＦＣＵ１１に換気用空気を供給する給気ダクト３５に接続され、各室Ｒに形成された換気口３７からの換気空気を排出する排気ダクト３６が、エアヒータ３０の上流側の排気通路２６に接続される。
【００３６】
また、エアクーラ３２の下流側の外気導入通路２５には、温度センサ３８が接続され、エアクーラ３２からの換気用空気の温度が設定温度（例えば、２６℃）となるように、図２に示した圧縮機２９の回転数を制御してエアクーラ３２でのＣＯ2 の蒸発温度が制御されるようになっている。
【００３７】
次に、この図１，２におけるドレンレス空調システムを説明する。
【００３８】
先ず、冷房時には、冷温水発生機等２０から、冷媒液（冷水）が設定温度（例えば１８〜２４℃）にされ、冷媒供給管１７と冷媒排出管１８を介してＦＣＵ１１のコイル１５に循環供給されるが、このコイル１５で室Ｒ内の空気を冷房するとコイル１５で結露が発生してしまう、そこで、運転初期には、冷温水発生機等２０を駆動する前に、デシカント空調機２１、すなわち、押し込みファン２７と吸引ファン２８を駆動し、デシカントロータ２２を、外気導入通路２５と排気通路２６を横断するよう回転すると共にＣＯ2 ヒートポンプ２３を駆動する。
【００３９】
ＣＯ2 ヒートポンプ２３は、圧縮機２９の駆動により、気液分離器３３内のＣＯ2 ガスを吸引して、圧縮し、これをエアヒータ３０に供給し、後述する排気側の換気用空気と熱交換し、膨張弁３１にて減圧され、気液混合状態となってエアクーラ３２に流れ、そこで後述する導入側の換気用空気と熱交換して蒸発し、気液分離器３３に流れ、そこで気液分離されてガス分が圧縮機２９に吸引されて圧縮されることで、エアヒータ３０で放熱し、エアクーラ３２で吸熱することで、導入側の換気用空気から熱回収して冷却し、この回収熱で排気側の換気用空気を昇温する。
【００４０】
押し込みファン２７により、外気（例えば３２℃）は、換気用空気として、外気導入通路２５に供給され、デシカントロータ２２を通して除湿される。除湿により昇温した換気用空気（例えば、６５℃、絶対湿度５ｇ／ｋｇ’）は、エアクーラ３２により、例えば２６℃に冷却されて、給気ダクト３５から各ＦＣＵ１１に供給される。
【００４１】
また、各室Ｒの室内空気の一部は、換気口３７から排気ダクト３６を通し、デシカント空調機２１の排気通路２６に導入され、その換気空気が、エアヒータ３０で８０℃程度に昇温されてデシカントロータ２２に流れ、そこで水分を吸着したデシカントを再生した後、吸引ファン２８から排気される。
【００４２】
このデシカント空調機２１を駆動した後、冷温水発生機等２０を駆動して冷房を行うことで、ＦＣＵ１１のコイル１５で結露を発生することなく、ドレンレス空調が行える。
【００４３】
このドレンレス空調においては、ＦＣＵ１１による空気循環量は、室Ｒ内の空気を１時間当たり約８回循環できるよう、例えば室Ｒの容積が４３ｍ3 であれば、循環量が約３５０ｍ3 ／ｈとなるよう、また、デシカント空調機２１による換気用空気量は、全ＦＣＵ１１の総空気循環量に対して、０．１〜０．４、好ましくは０．１５〜０．３の範囲程度であれば、ＦＣＵ１１内のコイル１５での結露を抑えることができ、ＦＣＵ１１の空気循環量が３５０ｍ3 ／ｈであれば、３５〜１４０ｍ3 ／ｈ、好ましくは５２．５〜１０５ｍ3 ／ｈの範囲の外気をデシカント空調機２１を通して供給すればよい。
【００４４】
なお、暖房時は、冷温水発生機等２０から、冷媒液（温水）を設定温度（例えば４０℃程度）にされ、冷媒供給管１７と冷媒排出管１８を介してＦＣＵ１１のコイル１５に循環供給して暖房を行う。この暖房運転においては、結露の問題がないため冷温水発生機等２０による運転のみで十分であるが、換気用空気を供給する場合には、デシカント空調機２１を通して供給する。この場合、詳細は省略するが、ＣＯ2 ヒートポンプ２３を駆動し、押し込みファン２７からの外気を、デシカントロータ２２を通さずに、エアヒータ３０に供給して昇温し、これを給気ダクト３５を通してＦＣＵ１１に供給し、室内空気の一部を換気口３７から排気ダクト３６を通した後、エアヒータ３０、補助ヒータ３４及びデシカントロータ２２を通さずに、吸引ファン２８を介して排気するようにする。
【００４５】
次に、上述したドレンレス空調を図３の空気線図を用いてさらに説明する。
【００４６】
先ず、建物１０の室Ｒの容積が全て同じで４３ｍ3 とすると、空調全容積は、ｍ階×ｎ室×４３ｍ3 ／ｈであり、全ＦＣＵ１１の総空気循環量は、ｍ階×ｎ室×３５０ｍ3 ／ｈであり、各室Ｒの換気用空気量は、０．２３として、８０ｍ3 ／ｈ、全換気用空気量は、ｍ階×ｎ室×８０ｍ3 ／ｈとする。
【００４７】
デシカント空調機２１で、Ａ点（３２℃、絶対湿度２０ｇ／ｋｇ’、相対湿度６５％）の外気は、デシカントロータ２２を通過して除湿されて昇温し、Ｂ点（６５℃、絶対湿度６ｇ／ｋｇ’、相対湿度約４％）となり、エアクーラ３２にて、Ｃ点（２６℃、絶対湿度６ｇ／ｋｇ’、相対湿度約３０％）となり、ＦＣＵ１１に供給され、その室内の吸込空気と混合することで、Ｄ点（２６℃、絶対湿度９．５ｇ／ｋｇ’、相対湿度約４５％）となり、これがコイル１５を通ることで、Ｅ点（２０℃、絶対湿度９．５ｇ／ｋｇ’、相対湿度約６５％）となって室Ｒに吹き出され、室Ｒでは、設定温度２６℃、相対湿度５０％、絶対湿度１０．５ｇ／ｋｇ’に保たれる。
【００４８】
このように、予めデシカント空調機２１により、外気の潜熱処理を行って換気用空気とし、ＦＣＵ１１に供給することで、室内で潜熱負荷を、この換気用空気で相殺することで、室内空気をＦＣＵ１１で循環してコイル１５で冷却しても、コイル１５では、顕熱のみを下げ、結露を防止したドレンレス空調が行える。
【００４９】
この室内の潜熱負荷を処理するため、デシカント空調機２１から送り出す換気用空気の絶対湿度は、約６ｇ／ｋｇ’と低めに設定しておく。
【００５０】
室内を２６℃、相対湿度５０％に維持するためには、仮にホテル客室（ツイン）内の一般的な顕熱負荷、潜熱負荷の一日の変動に応じて、吹出温湿度を変化させた場合の、吹出湿度は９．９〜１０．３ｇ／ｋｇ’の間で変化する。従って、９．９ｇ／ｋｇ’以下の吹出湿度に設定しておけば、室内の絶対湿度は１０．５ｇ／ｋｇ’（２６℃、５０％相当）より大きくならないことが予想される。
【００５１】
本発明においては、ＦＣＵ１１のドレンレス化を図るために、デシカント空調機２１から供給する換気用空気の絶対湿度を低めに設定しているので、運転初期や、不在時に室内換気のためファン１４を駆動したときなど、乾燥した換気用空気（相対湿度３０％、絶対湿度６ｇ／ｋｇ’程度）が、そのまま室内に吹き出されることになる。
【００５２】
しかし、ビル管理法の相対湿度の下限値は４０％ＲＨとされているが、最近の研究報告では、それ以下の３０％ＲＨの室内においても、生理量、心理量について乾燥による問題は生じないと報告されている（堤仁美ら；火気における低湿度環境とコンタクトレンズ装用が在室者に与える影響に関する研究、日本建築学会計画系論文集、Ｎｏ．５６４、ｐｐ．１７−２３（２００３．２）、田中佑昌ら；オフィス空間における乾燥感に関する研究（その４〜その６）、日本建築学会大会学術講演梗概集、Ｄ−２、ｐｐ．４５９−４６４（２００３）など）。
【００５３】
しかし、２０％ＲＨ以下では、生理量、心理量に問題があるため、室内が３０℃以上にならないように、ＦＣＵ１１のコイル１５に冷媒液を少量流して稼働する予冷運転モードを追加するようにすればよい。
【００５４】
図４、図５は、本発明の他の実施の形態を示したもので、基本的構成は、図１，図２と同じであるが、デシカント空調機２１の外気導入通路２５と排気通路２６間に、顕熱ロータ４０を設けて、デシカントロータ２２とダブルロータ式にした点にある。
【００５５】
すなわち、顕熱ロータ４０は、エアクーラ３２の上流側の外気導入通路２５と、エアヒータ３０の上流側の排気通路２６間を横断するよう回転自在に設けられ、デシカントロータ２２で除湿されて昇温した換気用空気から熱を回収し、これをＦＣＵ１１からエアヒータ３０に至る換気用空気を加熱するようにデシカント空調機２１を構成したものである。又、逆に室内冷排熱を回収して、これをデシカントロータ２２からエアクーラ３２に至る換気用空気を冷却するようにデシカント空調機２１を構成したものである。
【００５６】
この顕熱ロータ４０を設けることで、ＣＯ2 ヒートポンプ２３の負荷が少なくできるメリットがある。
【００５７】
図６は、空気線図で、図４，図５のドレンレス空調システムを説明したもので、Ａ〜Ｆ点までは、図３で説明した通りであるが、室ＲからＦ点の空気を換気用空気としてデシカント空調機２１側に排気する際に顕熱ロータ４０にて絶対湿度はそのままで、外気導入通路２５からエアクーラ３２に向かう換気用空気の顕熱を回収して、Ｇ点のように５６℃まで昇温し、エアヒータ３０に流すようにし、同時にＢ点の換気空気をＨ点まで冷却してエアクーラ３２に流す状態を示している。
【００５８】
ＣＯ2 ヒートポンプ２３は、一般のヒートポンプに比べて高い再生温度（エアヒータ３０直後の空気温度８０℃程度）が得られるため、デシカントロータ２２の高い再生能力が得られるが、顕熱ロータ４０を併用することで、そのＣＯ2 ヒートポンプ２３の負荷を低減でき効率の良い再生が可能となる。
【図面の簡単な説明】
【００５９】
【図１】本発明の一実施の形態を示す図である。
【図２】図１におけるデシカント空調機の詳細を示す図である。
【図３】本発明のドレンレス空調システムを空気線図で説明した図である。
【図４】本発明の他の実施の形態を示す図である。
【図５】図４におけるデシカント空調機の詳細を示す図である。
【図６】図４，図５のドレンレス空調システムを空気線図で説明した図である。
【符号の説明】
【００６０】
１０  建物
１１  ファンコイルユニット（ＦＣＵ）
２１  デシカント空調機
２２  デシカントロータ
２３  ヒートポンプ
３０  エアヒータ
３２  エアクーラ
【図１】
2007024467.tif 000003
【図２】
2007024467.tif 000004
【図３】
2007024467.tif 000005
【図４】
2007024467.tif 000006
【図５】
2007024467.tif 000007
【図６】
2007024467.tif 000008